(57)【要約】【課題】損失を低減し、動作が安定した点灯装置及びそれを用いた照明器具を提供する。【解決手段】直流電源回路２０２と、直流電源回路２０２からの出力電圧を制御する直流電源制御回路２０４と、発光素子２１０に流れる電流を制御する電流調整回路２０６と、発光素子２１０と電流調整回路２０６との接続点の電圧に応じたフィードバック信号を直流電源制御回路２０４に供給するフィードバック回路２０８と、を備え、フィードバック回路２０８は、ＰＷＭ調光制御されているときに電流調整回路２０６に電流が流れているときのみの接続点の電圧を検出してフィードバック信号を直流電源制御回路２０４に供給し、直流電源制御回路２０４は、フィードバック信号に応じて電流調整回路２０６に電流が流れているときの接続点の電圧が所定の範囲内に収まるように直流電源回路２０２の出力電圧を制御する。【選択図】図２
2020027752.tif 000002
【特許請求の範囲】
【請求項１】
調光指令値に基づいた電流を発光素子に供給する点灯装置であって、
前記発光素子に電圧を印加する直流電源回路と、
前記直流電源回路からの出力電圧を制御する直流電源制御回路と、
前記発光素子に直列に接続され、前記調光指令値に応じて前記発光素子に流れる電流を制御する電流調整回路と、
前記発光素子と前記電流調整回路との接続点の電圧を検出し、前記接続点の電圧に応じたフィードバック信号を前記直流電源制御回路に供給するフィードバック回路と、
を備え、
前記電流調整回路は、前記発光素子にＰＷＭ変調された電流を供給するＰＷＭ調光制御が可能であり、
前記フィードバック回路は、前記電流調整回路がＰＷＭ調光制御されているときに前記電流調整回路に電流が流れているときのみの前記接続点の電圧を検出して当該電圧に応じた前記フィードバック信号を前記直流電源制御回路に供給し、
前記直流電源制御回路は、前記フィードバック信号に応じて前記電流調整回路に電流が流れているときの前記接続点の電圧が所定の範囲内に収まるように前記直流電源回路の出力電圧を制御することを特徴とする点灯装置。
【請求項２】
請求項１に記載の点灯装置であって、
前記電流調整回路は、前記調光指令値に応じて、前記発光素子に一定電流を供給するＤＣ調光制御と、前記発光素子にＰＷＭ変調された電流を供給するＰＷＭ調光制御と、を切り替えることを特徴とする点灯装置。
【請求項３】
請求項１又は２に記載の点灯装置であって、
前記フィードバック回路は、前記電流調整回路に電流が流れているときのみ導通状態となり、当該導通状態のときに前記接続点の電圧を前記フィードバック信号として前記直流電源制御回路に供給し、当該導通状態でないときに前記接続点の電圧を前記フィードバック信号として前記直流電源制御回路に供給しない整流素子を備えることを特徴とする点灯装置。
【請求項４】
請求項１又は２に記載の点灯装置であって、
前記フィードバック回路は、前記電流調整回路のＰＷＭ調光制御に同期して前記接続点の電圧のハイ／ローレベルが切り替わった所定時間経過後の前記接続点の電圧を前記フィードバック信号として前記直流電源制御回路に供給することを特徴とする点灯装置。
【請求項５】
請求項１〜４のいずれか１項に記載の点灯装置であって、
前記直流電源制御回路は、定電圧基準値と前記フィードバック信号とを比較する比較回路を備え、前記定電圧基準値と前記フィードバック信号の値とが所定の範囲内に収まるように前記直流電源回路の出力電圧を制御することを特徴とする点灯装置。
【請求項６】
請求項１〜５のいずれか１項に記載の点灯装置であって、
前記電流調整回路は、
前記発光素子に供給される電流を制御する電流調整素子と、
前記電流調整素子に流れる電流を検出する電流検出素子と、
前記電流検出素子によって検出された電流値と前記調光指令値に基づく電流指令値との差を増幅する誤差増幅回路と、
を備え、
前記電流調整素子は、前記誤差増幅回路の出力に応じて、前記電流検出素子によって検出された検出値と前記電流指令値とが所定の範囲内に収まるように前記発光素子に供給される電流を調整することを特徴とする点灯装置。
【請求項７】
請求項１〜６のいずれか１項に記載の点灯装置を備える照明器具。
【発明の詳細な説明】
【技術分野】
【０００１】
本発明は、点灯装置及びそれを用いた照明器具に関する。
【背景技術】
【０００２】
発光素子の明るさを広範囲に亘って滑らかに変化することを可能にした照明器具に関する技術が開示されている（特許文献１）。当該技術では、外部からの調光信号に応じてオンデューティ比が変化するＰＷＭ信号に従って第１のトランジスタをオン／オフさせることでＬＥＤに流れる電流を調整する第１電流調整部と、調光信号に従って第２のトランジスタのゲートに印加する電圧を変化させることでＬＥＤに流れる電流を調整する第２電流調整部とを備える。そして、調光信号による調光レベルが所定値以上である場合には、第１電流調整部によりＬＥＤの明るさを制御し、調光レベルが所定値より小さい場合には、調光レベルが所定値である場合における第１電流調整部の制御状態を保ちつつ、第２電流調整部によりＬＥＤの明るさを制御する。
【０００３】
また、発光素子のちらつきを抑えることを目的とした照明器具に関する技術が開示されている（特許文献２）。当該技術における点灯装置は、整流回路、変換回路、定電流回路、制御回路を備え、定電流回路の出力電圧が一定となるように交流／直流変換回路の出力電圧を制御する。
【０００４】
図１２は、従来の点灯装置１００の構成例を示す。点灯装置１００では、ＤＣ調光信号とＰＷＭ調光信号に応じて電流調整回路１４においてスイッチング素子Ｑ１を制御することで、直流電源回路１０から発光素子１２へ印加される電圧を調整して調光を行う。ＰＷＭ調光信号がハイレベル（Ｈ）のときスイッチング素子Ｑ１はオン状態となり、ＰＷＭ調光信号がローレベル（Ｌ）のときスイッチング素子Ｑ１はオフ状態となる。ＰＷＭ調光信号の大きさによってスイッチング素子Ｑ１のオン状態とオフ状態のデューティ比を変化させることができ、これに伴って発光素子１２の明るさを広範囲に亘って調整することを可能としている。
【先行技術文献】
【特許文献】
【０００５】
【特許文献１】特開２０１５−４１４３０号公報
【特許文献２】特開２０１６−１００１６４号公報
【発明の概要】
【発明が解決しようとする課題】
【０００６】
ところで、従来の点灯装置１００において直流電源回路１０が一定の出力電圧Ｖ０を出力する場合、出力電圧Ｖ０は負荷となる発光素子１２の順電圧ＶＦよりも大きい値であることが必要である。しかしながら、発光素子１２の順電圧ＶＦにはばらつきがあり、また温度によっても変化するため、直流電源回路１０の出力電圧Ｖ０は発光素子１２の順電圧ＶＦに対して大きな余裕を持たせる必要がある。一方、電流調整回路１４の端子電圧ＶＤは直流電源回路１０の出力電圧Ｖ０から発光素子１２の順電圧ＶＦを引いた値であり、直流電源回路１０の損失は出力電流ＩＯＵＴと端子電圧ＶＤとの積となるため、出力電圧Ｖ０が高いと直流電源回路１０の損失も大きくなる。
【０００７】
また、ＰＷＭ調光状態においてスイッチング素子Ｑ１がオフ状態になると、発光素子１２の順電圧ＶＦが小さくなり不定となる。このとき、電流調整回路１４の端子電圧ＶＤを安定に制御できることが望まれている。
【０００８】
本発明は、定電流回路の損失を低減すると共に、安定して発光素子を点灯させることができる点灯装置及びそれを用いた照明器具を提供することを目的とする。
【課題を解決するための手段】
【０００９】
本発明の一つの態様は、調光指令値に基づいた電流を発光素子に供給する点灯装置であって、前記発光素子に電圧を印加する直流電源回路と、前記直流電源回路からの出力電圧を制御する直流電源制御回路と、前記発光素子に直列に接続され、前記調光指令値に応じて前記発光素子に流れる電流を制御する電流調整回路と、前記発光素子と前記電流調整回路との接続点の電圧を検出し、前記接続点の電圧に応じたフィードバック信号を前記直流電源制御回路に供給するフィードバック回路と、を備え、前記電流調整回路は、前記発光素子にＰＷＭ変調された電流を供給するＰＷＭ調光制御が可能であり、前記フィードバック回路は、前記電流調整回路がＰＷＭ調光制御されているときに前記電流調整回路に電流が流れているときのみの前記接続点の電圧を検出して当該電圧に応じた前記フィードバック信号を前記直流電源制御回路に供給し、前記直流電源制御回路は、前記フィードバック信号に応じて前記電流調整回路に電流が流れているときの前記接続点の電圧が所定の範囲内に収まるように前記直流電源回路の出力電圧を制御することを特徴とする点灯装置である。
【００１０】
ここで、前記電流調整回路は、前記調光指令値に応じて、前記発光素子に一定電流を供給するＤＣ調光制御と、前記発光素子にＰＷＭ変調された電流を供給するＰＷＭ調光制御と、を切り替えることが好適である。
【００１１】
また、前記フィードバック回路は、前記電流調整回路に電流が流れているときのみ導通状態となり、当該導通状態のときに前記接続点の電圧を前記フィードバック信号として前記直流電源制御回路に供給し、当該導通状態でないときに前記接続点の電圧を前記フィードバック信号として前記直流電源制御回路に供給しない整流素子を備えることが好適である。
【００１２】
また、前記フィードバック回路は、前記電流調整回路のＰＷＭ調光制御に同期して前記接続点の電圧のハイ／ローレベルが切り替わった所定時間経過後の前記接続点の電圧を前記フィードバック信号として前記直流電源制御回路に供給することが好適である。
【００１３】
また、前記直流電源制御回路は、定電圧基準値と前記フィードバック信号とを比較する比較回路を備え、前記定電圧基準値と前記フィードバック信号の値とが所定の範囲内に収まるように前記直流電源回路の出力電圧を制御することが好適である。
【００１４】
また、前記電流調整回路は、前記発光素子に供給される電流を制御する電流調整素子と、前記電流調整素子に流れる電流を検出する電流検出素子と、前記電流検出素子によって検出された電流値と前記調光指令値に基づく電流指令値との差を増幅する誤差増幅回路と、を備え、前記電流調整素子は、前記誤差増幅回路の出力に応じて、前記電流検出素子によって検出された検出値と前記電流指令値とが所定の範囲内に収まるように前記発光素子に供給される電流を調整することが好適である。
【００１５】
本実施の形態の別の態様は、上記点灯装置を備える照明器具である。
【発明の効果】
【００１６】
本発明によれば、損失を低減し、動作が安定した点灯装置及びそれを用いた照明器具を提供することができる。
【図面の簡単な説明】
【００１７】
【図１】本発明の実施の形態における点灯装置及び照明器具の構成を示す図である。
【図２】本発明の実施の形態における照明器具の具体的な回路構成を示す図である。
【図３】本発明の実施の形態における調光の方法を説明する図である。
【図４】本発明の実施の形態におけるフィードバック信号の生成を説明する図である。
【図５】本発明の実施の形態におけるフィードバック回路の別例を示す図である。
【図６】本発明の実施の形態におけるフィードバック回路の別例を示す図である。
【図７】本発明の実施の形態におけるフィードバック回路における処理を説明する図である。
【図８】変形例１における照明器具の具体的な回路構成を示す図である。
【図９】変形例２における照明器具の具体的な回路構成を示す図である。
【図１０】変形例２における照明器具の処理について説明する図である。
【図１１】変形例３における照明器具の具体的な回路構成を示す図である。
【図１２】従来の照明器具の構成を示す図である。
【発明を実施するための形態】
【００１８】
本発明の実施の形態における点灯装置２００は、直流電源回路２０２、直流電源制御回路２０４、電流調整回路２０６及びフィードバック回路２０８を含んで構成される。点灯装置２００は、発光素子２１０に接続される。点灯装置２００及び発光素子２１０が組み合わされることで照明器具３００として使用される。
【００１９】
直流電源回路２０２は、発光素子２１０に対して電力を供給する電源回路である。直流電源制御回路２０４は、フィードバック回路２０８からのフィードバック信号に基づいて直流電源回路２０２からの出力電圧を制御する制御回路である。電流調整回路２０６は、調光信号に基づいて発光素子２１０に流れる電流を制御して、発光素子２１０の発光における明るさを調整する調整回路である。フィードバック回路２０８は、発光素子２１０と電流調整回路２０６の状態をフィードバック信号として直流電源制御回路２０４へフィードバックする回路である。
【００２０】
発光素子２１０は、例えば、発光ダイオード（ＬＥＤ）やレーザーダイオード（ＬＤ）等とすることができる。ただし、発光素子２１０は、これらに限定されるものではなく、他の発光素子を適用してもよい。発光素子２１０は、直流電源回路２０２から電力を受けて発光する。発光素子２１０の発光強度（明るさ）は、電流調整回路２０６による発光素子２１０に流れる電流値の制御によって行われる。
【００２１】
図２は、照明器具３００の具体的な回路構成を示す図である。以下、図２を参照しつつ、直流電源回路２０２、直流電源制御回路２０４、電流調整回路２０６及びフィードバック回路２０８について説明する。
【００２２】
直流電源回路２０２は、一例として、フライバック回路を含んだ構成としている。直流電源回路２０２は、整流回路及びスイッチング素子ＱＳＷ（パワーＭＯＳＦＥＴ等）を含んで構成される。整流回路は、商用電源等の交流電力を受けて直流電力に変換する回路である。整流回路は、ダイオードブリッジによる全波整流回路とすることができる。ただし、これに限定されるものではなく、整流回路をＰＦＣ回路やＥＭＩフィルタ回路を含むものとしてもよい。スイッチング素子ＱＳＷは、直流電源制御回路２０４によってスイッチング制御される。スイッチング素子ＱＳＷのオン期間中に絶縁トランスに電力を蓄え、スイッチング素子ＱＳＷをオフに切り替えることによって絶縁トランスの逆起電力を利用して蓄えられていた電力を出力する。これによって、スイッチング素子ＱＳＷのスイッチングに応じた出力電圧Ｖ０を出力する。
【００２３】
直流電源制御回路２０４は、直流電源回路２０２のスイッチング素子ＱＳＷをスイッチング制御することによって直流電源回路２０２からの出力電圧Ｖ０を制御する回路である。直流電源制御回路２０４は、後述するフィードバック回路２０８からフィードバック信号ＦＢを受けて、フィードバック信号ＦＢに応じて直流電源回路２０２のスイッチング素子ＱＳＷをスイッチング制御する。すなわち、フィードバック信号ＦＢのフィードバック電圧ＶＲに応じてスイッチング素子ＱＳＷのオン期間とオフ期間との比（オンデューティ比）を調整することによって直流電源回路２０２からの出力電圧Ｖ０を制御する。
【００２４】
本実施の形態では、直流電源制御回路２０４は、シャントレギュレータＱＳＲを含む回路構成としている。シャントレギュレータＱＳＲは、基準電圧ＶＲＥＦとリファレンス端子に入力されるフィードバック信号ＦＢのフィードバック電圧ＶＲとの電圧差（誤差電圧）を増幅する誤差増幅器を有し、誤差電圧に応じたカソード電流を流す。フィードバック電圧ＶＲが基準電圧ＶＲＥＦを超えるとシャントレギュレータＱＳＲのカソード電流が流れ、フォトカプラＰＣを介して制御回路に信号が伝えられる。制御回路は、フォトカプラＰＣからの信号を受けて、フィードバック電圧ＶＲが基準電圧ＶＲＥＦより小さい場合に直流電源回路２０２からの出力電圧Ｖ０が大きくなるように、フィードバック電圧ＶＲが基準電圧ＶＲＥＦより大きい場合に直流電源回路２０２からの出力電圧Ｖ０が小さくなるようにスイッチング素子ＱＳＷのスイッチングを制御する。
【００２５】
電流調整回路２０６は、外部から調光信号を受けて、調光信号に応じて発光素子２１０へ流れる電流ＩＯＵＴとなるように制御を行う。電流調整回路２０６の制御回路は、外部から調光信号に応じてＤＣ調光信号及びＰＷＭ調光信号を出力する。ＤＣ調光信号は、図２に示すように、調光信号が所定値未満では一定値となり、当該所定値以上において単調増加する信号である。ＰＷＭ調光信号は、図２に示すように、当該所定値未満では単調増加するＰＷＭ変調のデューティ比を示し、当該所定値以上で一定値となる信号である。ＤＣ調光信号は、オペアンプ（誤差増幅器）ＯＰの非反転入力端子（＋）に入力される。ＰＷＭ調光信号は、スイッチ素子Ｑ２のベース端子に入力される。スイッチ素子Ｑ２のエミッタ端子は、抵抗Ｒ２を介してオペアンプ（誤差増幅器）ＯＰの反転入力端子（−）に接続される。これにより、スイッチング素子Ｑ１のスイッチングが制御されて、外部からの調光信号が当該所定値未満では発光素子２１０へ供給される電流ＩＯＵＴがＰＷＭ変調される。このとき、ＰＷＭ調光信号が示すデューティ比が増加するにつれて電流ＩＯＵＴを増加させるようにスイッチング素子Ｑ１のスイッチングが制御される。一方、外部からの調光信号が当該所定値以上では、ＤＣ変調信号に応じて発光素子２１０へ供給される電流ＩＯＵＴは単調増加する。
【００２６】
このように、ＤＣ調光状態とＰＷＭ調光状態を切り替えることによって、図２に示すように、発光素子２１０をより明るく発光させる場合には発光素子２１０に対して常に電流ＩＯＵＴを供給し、発光素子２１０を暗く発光させる場合には発光素子２１０に対してＰＷＭ変調された断続的な電流ＩＯＵＴを供給する。これによって、ＤＣ調光状態のみで調光するよりも暗い状態、いわゆる深い調光状態において発光素子２１０の明るさを調整することができる。
【００２７】
フィードバック回路２０８は、電流調整回路２０６の出力電圧ＶＤに基づいてフィードバック信号ＦＢを直流電源制御回路２０４へ出力する。本実施の形態では、図２に示すように、フィードバック回路２０８はボトムホールド回路を含んで構成される。フィードバック回路２０８は、ダイオードＤＦＢ、抵抗ＲＦＢ及びコンデンサＣＦＢを組み合わせて構成される。
【００２８】
フィードバック回路２０８には、電流調整回路２０６のスイッチング素子Ｑ１及び検出抵抗Ｒ０の端子電圧である出力電圧ＶＤが入力される。出力電圧ＶＤが基準電圧ＶＣＣより小さいときにダイオードＤＦＢがオン状態になり、出力電圧ＶＤからダイオードＤＦＢの順電圧を引いた電圧が抵抗ＲＦＢ及びコンデンサＣＦＢに印加される。これにより、コンデンサＣＦＢが充電され、出力電圧ＶＤの下限値が保持される。ここで、抵抗ＲＦＢは放電抵抗であり、抵抗ＲＦＢとコンデンサＣＦＢの時定数ＣＲはＰＷＭ信号の繰り返し周期よりも十分に大きい値に設定する。基準電圧ＶＣＣは、直流電源制御回路２０４のシャントレギュレータＱＳＲの基準電圧ＶＲＥＦより大きく、スイッチング素子Ｑ１がオフ状態のときのドレイン電圧より小さくなるような値とする。
【００２９】
図４は、出力電圧ＶＤとフィードバック回路２０８のフィードバック電圧ＶＲとの関係を示す。図４に示すように、スイッチング素子Ｑ１がオフ状態のときは出力電圧ＶＤは遮断され、スイッチング素子Ｑ１がオン状態のときのみ出力電圧ＶＤのボトム電圧を直流電源制御回路２０４のシャントレギュレータＱＳＲへ伝達する。
【００３０】
なお、フィードバック回路２０８は、図５に示すように、オペアンプを用いたボトムホールド回路としてもよい。図５の回路では、オペアンプを用いることによって、ダイオードＤＦＢの順電圧の影響を受けることなく出力電圧ＶＤと同じ大きさの電圧がフィードバック電圧ＶＲとして出力される。すなわち、出力電圧ＶＤに対するダイオードＤＦＢの順電圧の影響を無くすことができる。
【００３１】
また、フィードバック回路２０８は、図６に示すように、ＰＷＭ信号に同期したトリガ信号を利用して出力電圧ＶＤの下限値を保持する構成としてもよい。フィードバック回路２０８では、図７に示すように、電流調整回路２０６のＰＷＭ変調の周期に同期して、ＰＷＮ変調においてハイレベルとローレベルの切り替わりのタイミングから所定時間経過後にトリガを掛けてコンデンサＣＦＢに出力電圧ＶＤの下限値を保持するように制御する。このような構成とすることで、抵抗ＲＦＢとコンデンサＣＦＢの時定数ＣＲによる応答性の低下を避けることができ、負荷追従性を高めることができる。
【００３２】
以上のように、本実施の形態における点灯装置２００及び照明器具３００では、フィードバック回路２０８から電流調整回路２０６の出力電圧ＶＤに基づいたフィードバック信号ＦＢを直流電源制御回路２０４にフィードバックし、フィードバック信号ＦＢに応じて直流電源回路２０２のスイッチング素子ＱＳＷをスイッチング制御する。そして、出力電圧ＶＤに基づいたフィードバック信号ＦＢの電圧ＶＲに応じてスイッチング素子ＱＳＷのオン期間とオフ期間との比（オンデューティ比）を調整することによって直流電源回路２０２からの出力電圧Ｖ０を制御する。これによって、直流電源回路２０２からの出力電圧Ｖ０を発光素子１２の順電圧ＶＦよりも大きい値としつつ、その一方で電流調整回路２０６の出力電圧ＶＤに応じた出力電圧Ｖ０とすることが可能となり、出力電圧Ｖ０を常に一定に維持した場合に比べて点灯装置２００及び照明器具３００の損失を低減することができる。また、電流調整回路１４の端子電圧ＶＤを安定に制御することができる。
【００３３】
［変形例１］
図８は、変形例１における照明器具３０２の構成を示す図である。本変形例では、直流電源回路２０２−１は、非絶縁型回路であるＳＥＰＩＣ型のコンバータを含む構成とされている。直流電源制御回路２０４、電流調整回路２０６及びフィードバック回路２０８は、上記実施の形態の照明器具３００と同様の構成とすればよい。
【００３４】
このような構成においても、上記実施の形態と同様の効果を得ることができる。また、さらに、ＳＥＰＩＣ型のコンバータはシングルエンド型であるので、スイッチング素子ＱＳＷを駆動するための直流電源制御回路２０４の構成を簡単にすることができる。
【００３５】
［変形例２］
図９は、変形例２における照明器具３０４の構成を示す図である。本変形例の照明器具３０４では、直流電源制御回路２０４及びフィードバック回路２０８をマイクロコンピュータを含む制御回路２１２に置き換えた構成としている。制御回路２１２は、アナログ／デジタル変換回路（Ａ／Ｄ変換回路）を備える。電流調整回路２０６の出力電圧ＶＤは、Ａ／Ｄ変換回路を介してデジタル信号に変換されて制御回路２１２に入力される。また、制御回路２１２は、さらにＰＷＭ信号の入力を受けて、ＰＷＭ信号に同期してデジタル変換された出力電圧ＶＤをサンプリングする。すなわち、図１０に示すように、電流調整回路２０６のＰＷＭ変調の周期に同期して、スイッチング素子Ｑ１がオフ状態のときは出力電圧ＶＤをサンプリングせず、スイッチング素子Ｑ１がオン状態のときに出力電圧ＶＤをサンプリングする。制御回路２１２は、サンプリングされた出力電圧ＶＤがデジタル値の基準値より大きければスイッチング素子ＱＳＷのオン状態にするデューティ比を大きくし、基準値より小さければスイッチング素子ＱＳＷのオン状態にするデューティ比を小さくする。
【００３６】
このような構成とすることで、マイクロコンピュータを含む制御回路２１２によって、上記実施の形態と同様の効果を得ることができる。さらに、抵抗ＲＦＢとコンデンサＣＦＢの時定数ＣＲによる応答性の低下を避けることができ、負荷追従性を高めることができる。
【００３７】
［変形例３］
図１１に示すように、電流調整回路２０６の出力端子間に平滑コンデンサＣを接続した構成としてもよい。これによって、電流調整回路２０６によってオン／オフ制御された電流が整流され、発光素子２１０における光のちらつきや残像感、撮影時におけるフリッカの発生等を抑制することができる。
【００３８】
なお、平滑コンデンサＣに代えて、電流を平滑化できるフィルタ回路を設ける構成としてもよい。
【符号の説明】
【００３９】
１０  直流電源回路、１２  発光素子、１４  電流調整回路、１００，２００  点灯装置、２０２  直流電源回路、２０４  直流電源制御回路、２０６  電流調整回路、２０８  フィードバック回路、２１０  発光素子、２１２  制御回路、３００，３０２，３０４  照明器具。
【図１】
2020027752.tif 000003
【図２】
2020027752.tif 000004
【図３】
2020027752.tif 000005
【図４】
2020027752.tif 000006
【図５】
2020027752.tif 000007
【図６】
2020027752.tif 000008
【図７】
2020027752.tif 000009
【図８】
2020027752.tif 000010
【図９】
2020027752.tif 000011
【図１０】
2020027752.tif 000012
【図１１】
2020027752.tif 000013
【図１２】
2020027752.tif 000014